【手続補正書】
【提出日】平成18年8月17日(2006.8.17)
【手続補正１】
【補正対象書類名】明細書
【補正対象項目名】発明の名称
【補正方法】変更
【補正の内容】
【発明の名称】電力制御装置及び携帯型装置
【手続補正２】
【補正対象書類名】明細書
【補正対象項目名】特許請求の範囲
【補正方法】変更
【補正の内容】
【特許請求の範囲】
【請求項１】  処理回路の動作周波数を変化させることで、装置性能の切り換えを行うことができるデータ処理装置における電力制御装置であって、
前記処理回路の動作周波数を増大させた時には、このデータ処理装置に接続する表示器における輝度の低減により消費電力量を低減させる手段と、
前記処理回路の動作周波数を低減させた時には、このデータ処理装置に接続する表示器における輝度の増大により消費電力量を増大させる手段と、
を備えることを特徴とする電力制御装置。
【請求項２】  処理回路の動作周波数を変化させることで、装置性能の切り換えを行うことができるデータ処理装置における電力制御装置であって、
前記データ処理装置に接続された表示器の輝度を増大させた時には、前記処理回路の動作周波数を低減させる手段と、
前記データ処理装置に接続された表示器の輝度を低減させた時には、前記処理回路の動作周波数を増大させる手段と、
を備えることを特徴とする電力制御装置。
【請求項３】  処理回路の動作周波数を変化させることで、装置性能の切り換えを行うことができるデータ処理装置における電力制御装置であって、
前記データ処理装置に内蔵されたディスク型記録媒体の駆動モータのスピンアップ時には、前記処理回路の動作周波数を低減させる手段と、
前記駆動モータのスピンアップ動作終了時には、前記処理回路の動作周波数を元の状態に復帰させる手段と、
を備えることを特徴とする電力制御装置。
【請求項４】  前記データ処理装置がノート型パーソナルコンピュータであり、前記表示器が液晶パネルであることを特徴とする請求項１から３の何れか１項に記載の電力制御装置。
【請求項５】  処理回路の動作周波数を変化させることで、装置性能の切り換えを行う携帯型装置であって、
表示器と、
前記処理回路の動作周波数を増大させた時には、前記表示器における輝度の低減により消費電力量を低減させる手段と、
前記処理回路の動作周波数を低減させた時には、前記表示器における輝度の増大により消費電力量を増大させる手段と、
を備えることを特徴とする携帯型装置。
【手続補正３】
【補正対象書類名】明細書
【補正対象項目名】０００１
【補正方法】変更
【補正の内容】
【０００１】
【発明の属する技術分野】
本発明は電力制御装置及び携帯型装置に関し、特に、処理回路の動作周波数を変化させることで、装置性能の切り換えを行うことができる、データ処理装置における電力制御装置、及び携帯型装置に関する。
近年、高性能ＣＰＵ（中央処理装置）の採用により、パーソナルコンピュータ等のデータ処理装置における処理能力が大幅に向上しつつあり、電力消費量も増大しつつある。また、データ処理装置としての携帯型端末は小型軽量化が進んでいるが、表示器としての液晶表示パネルの大きさは逆に大型化する傾向にあり、これもデータ処理装置の消費電力を増大させる一因になっている。
【手続補正４】
【補正対象書類名】明細書
【補正対象項目名】０００８
【補正方法】変更
【補正の内容】
【０００８】
更に、本発明の第３の目的は、データ処理装置、特に、バッテリ駆動データ処理装置において、ディスク型記録媒体の駆動モータのスピンアップ時には一時的に処理回路の動作周波数を低減させることにより、データ処理装置全体の消費電力量を増大させないような電力制御装置を提供することにある。
また、本発明の第４の目的は、処理回路の動作周波数を変化させることで、装置性能の切り換えを行う携帯型装置を提供することにある。
【手続補正５】
【補正対象書類名】明細書
【補正対象項目名】０００９
【補正方法】変更
【補正の内容】
【０００９】
【課題を解決するための手段】
前記目的を達成する本発明の特徴は、以下に第１から第４の発明として示される。
第１の発明の構成上の特徴は、処理回路の動作周波数を変化させることで、装置性能の切り換えを行うことができるデータ処理装置における電力制御装置において、処理回路の動作周波数を増大させた時には、このデータ処理装置に接続する表示器における輝度の低減により消費電力量を低減させる手段と、処理回路の動作周波数を低減させた時には、このデータ処理装置に接続する表示器における輝度の増大により消費電力量を増大させる手段とを設けたことにある。
【手続補正６】
【補正対象書類名】明細書
【補正対象項目名】００１１
【補正方法】変更
【補正の内容】
【００１１】
第３の発明の構成上の特徴は、処理回路の動作周波数を変化させることで、装置性能の切り換えを行うことができるデータ処理装置における電力制御装置であって、データ処理装置に内蔵されたディスク型記録媒体の駆動モータのスピンアップ時には、処理回路の動作周波数を低減させる手段と、駆動モータのスピンアップ動作終了時には、処理回路の動作周波数を元の状態に復帰させる手段とを備えることにある。
第４の発明の構成上の特徴は、表示器と、処理回路の動作周波数を増大させた時には、表示器における輝度の低減により消費電力量を低減させる手段と、処理回路の動作周波数を低減させた時には、表示器における輝度の増大により消費電力量を増大させる手段とを備える携帯型装置において、処理回路の動作周波数を変化させることで、装置性能の切り換えを行うことにある。
【手続補正７】
【補正対象書類名】明細書
【補正対象項目名】００１２
【補正方法】変更
【補正の内容】
【００１２】
第１から第４の発明において、データ処理装置、及び携帯型装置はノート型パーソナルコンピュータとすることができ、表示器は液晶パネルとすることができる。
第１の発明では、データ処理装置において処理回路の動作周波数が増大した時には表示器における消費電力量がその輝度の低減によって低減させられ、処理回路の動作周波数を低減させた時には表示器における消費電力量がその輝度の増大によって増大させられるので、データ処理装置全体の消費電力量が規定値以上に増大しない。
【手続補正８】
【補正対象書類名】明細書
【補正対象項目名】００１４
【補正方法】変更
【補正の内容】
【００１４】
第４の発明では、携帯型装置において、処理回路の動作周波数を増大させた時には、表示器における輝度の低減により消費電力量を低減させる手段と、処理回路の動作周波数を低減させた時には、表示器における輝度の増大により消費電力量を増大させる手段とにより、処理回路の動作周波数を変化させることで、装置性能の切り換えを行うことが可能である。
【手続補正９】
【補正対象書類名】明細書
【補正対象項目名】００４２
【補正方法】変更
【補正の内容】
【００４２】
なお、以上の実施例では、データ処理装置としてノート型パソコンを説明したが、データ処理装置は特に限定されるものではなく、例えば、表示器と電力制御装置を備えた携帯型装置やデスクトップ型パソコン等も本発明の範囲に含まれる。
また、本発明はバッテリ駆動されるデータ処理装置以外の交流駆動されるデータ処理装置にも適用が可能である。
【手続補正１０】
【補正対象書類名】明細書
【補正対象項目名】００４４
【補正方法】変更
【補正の内容】
【００４４】
第２の発明では、データ処理装置において表示器の輝度を増大させた時には処理回路の動作周波数が低減させられ、表示器の輝度を低減させた時には処理回路の動作周波数を増大させられるので、データ処理装置全体の消費電力量が規定値以上に増大しない。
第３の発明では、データ処理装置において、ディスク型記録媒体の駆動モータのスピンアップ時には処理回路の動作周波数が低減させられ、駆動モータのスピンアップ動作終了時には処理回路の動作周波数が元の状態に復帰するので、データ処理装置全体の消費電力量が規定値以上に増大しない。
第４の発明では、携帯型装置において、処理回路の動作周波数を増大させた時には、表示器における輝度の低減により消費電力量を低減させる手段と、処理回路の動作周波数を低減させた時には、表示器における輝度の増大により消費電力量を増大させる手段とにより、処理回路の動作周波数を変化させることで、装置性能の切り換えを行うことが可能である。